(57)【要約】【課題】外部エネルギーの振動や圧力、波力、風力、磁力等を利用し、それを伸縮力、吸引力、反発力、振動等として伝え持続、増幅させて確実に発光ダイオードを点灯することができる自己発電物体位置表示器を提供する。【解決手段】発電マグネットとクッション及び吸引マグネットをパイプ内に挿入し、パイプの両端を上下蓋で被い、パイプの外側にコイルを取り付け、このコイルより出る線に制御箱、発光ダイオードを取り付け、ケースへ挿入し、発電マグネット組立体を構成し、このケースにサドル等を取り付ける。サドルを人の衣服やペットの首輪等に取り付けると、人やペットの振動によりパイプ内の発電マグネットは、コイルの上下端を往復して電気を発生さる。その電気を制御箱内に存在するブリッジダイオードへ流して整流し、常に同じ方向の電流を終端の発光ダイオー１１へ流して点灯する。 【選択図】  図１
2014110657.tif 000002
【特許請求の範囲】
【請求項１】
発電マグネット或は発電マグネットと吸引マグネットをパイプ内部に入れ、そのパイプの外側にコイルを取り付け、パイプの両端を発電マグネットと吸引マグネットが飛び出さないように、蓋等を設け、これらと制御箱、発光ダイオード、コネクターをケースに取り付け、発電マグネット組立体を形成し、その外側にクリップ等を取り付け、パイプ内部に挿入した発電マグネットを振動、風力、波力、磁力等の外部エネルギーにより非接触でコイルの両端に移動させ、発電マグネットと吸引マグネット等の磁力の反発力や吸引力、引っ張りバネや圧縮バネ等の張力を利用し、非接触でこの振動を持続、増幅させ、発電マグネットとコイルの移動開始位置、移動時の軌道を同じ状態にし、発電マグネットとコイルの間隔を狭くし、往復の移動をすることで発電回数を増やし発電効率を高めて、自己発電で発光ダイオードを点灯させ、コイルの発電波形がパルスなので発光ダイオードの点灯を点滅させる為の制御回路は必要なく、それを物体に取り付けて、その存在を外部に知らせるようにした事を特徴とした自己発電物体位置表示器。
【請求項２】
発電マグネット或は、発電マグネットと吸引マグネット、又は発電マグネットと圧縮バネ、引っ張りバネ、吸引マグネット、磁性体物質等を組み合わせてパイプ内に挿入、或はパイプ外に取り付け、振動や圧力、磁力、風力、波力等より得たエネルギーを持続させ、尚且つ発電マグネットと吸引マグネットの反発又は吸引、又は発電マグネットと磁性体金属の吸引等により、非接触で発電マグネットを移動させ、自己発電で発光ダイオードを点灯させるようにした事を特徴とした請求項１に記載の自己発電物体位置表示器。
【請求項３】
発電マグネットと吸引マグネット、又は発電マグネットと圧縮バネ、又は引っ張りバネの組み合わせ、又は発電マグネットと引っ張りバネと吸引マグネット、又は発電マグネットと圧縮バネと吸引マグネット、又は発電マグネットと引っ張りバネと磁性体金属等の組み合わせをパイプ内、或はパイプ外で行い、これらと上下蓋、或は外部ワイヤー等と接続し、発電マグネットと吸引マグネットの吸引力や反発力及びゴムやバネ等の伸縮によるエネルギーを複合し、瞬時に発電マグネットを移動させて発電エネルギーを高め、コイル内部を往復させて自己発電で発光ダイオードを点灯するようにした事を特徴とした請求項１〜２の何れかに記載の自己発電物体位置表示器。
【請求項４】
パイプとコイルとパイプ内を移動する発電マグネット間の間隔を狭くし、発電マグネットがコイルの上下端を瞬時に通過し、１往復で複数回の発電をし、それをブリッジダイオードで整流することにより、高い発電量で発光ダイオードを点灯するようにした事を特徴とした請求項１〜請求項３の何れかに記載の自己発電物体位置表示器。
【発明の詳細な説明】
【技術分野】
【０００１】
本発明は、振動、波力、風力等の自然エネルギーを利用し、それにより得られる力を利用して、コイル内部にある発電マグネットを上下、左右、前後等に移動させてコイルに電気を発生させ、又、振動や外部圧力、張力、磁力等の人的外部エネルギーにより同様にコイル内部にある発電マグネットを上下、左右、前後等に移動させ、コイルに電気を発生させて発光ダイオードを点灯させ、それを取り付けている物体の存在を外部に知らせる自己発電型の位置表示器に関する物である。
【背景技術】
【０００２】
夜間、自転車の後方に対して自転車の存在を知らせて安全を保つ為に、ＬＥＤ（発光ダイオード）を点灯、点滅させる物や人の衣服に照明装置を取り付けて点灯、点滅させる物がある。
【０００３】
自転車のＬＥＤの点滅を電池駆動で行う物は、電池の交換が必要なだけではなく、ＬＥＤを点滅させる為の制御回路が必要になり、又、衣服や建築物等に取り付ける物は電池や家庭用電源を利用し、その消耗により交換しなければならないし、配線をしなければならない。
【０００４】
ＬＥＤを内蔵した尾灯で、自転車に取り付けた発電機により点滅させることによって、駆動用電池を不要にした物が提案されている。
【０００５】
１つは前照灯用の発電機を利用して前照灯と尾灯の両方を駆動する物である。
前照灯用の発電機を利用するものでは、発電機から尾灯に電力を直接供給して走行中にのみ点滅させる物である。前照灯用の発電機を利用する物の他の形態は、自転車が停止している時も尾灯が点灯するようにしたものである（特許文献１参照）。その中では、前照灯と尾灯を分離し、発電機からの出力を整流してコンデンサー又は２次電池に充電して尾灯を点灯させ、又その一部を利用して方向指示機等にも利用している。
【０００６】
前照灯用の発電機は、通常、前輪側に設けられているので、自転車の前方から後方まで配線しなければならない為、ハンドルの操作により、又は使用時に配線が引っかかる等の事故によって、配線が切断されるようなことがあるので、長い年月の使用には不向きである。
【０００７】
後輪側に尾灯専用の発電機を設けたものもある。アーチ状の金具に左右２個の発電コイルを取り付け、後輪のリムにクリップ金具を介してマグネットを取り付け、後輪の回転により、マグネットが２個のコイルの間を通過する際の発電を利用しようとする物である。（特許文献２参照）。
【先行技術文献】
【特許文献】
【０００８】
【特許文献１】特開２０００−２５６６８号公報
【特許文献２】特開平１０−６７３５７号公報
【発明の概要】
【発明が解決しようとする課題】
【０００９】
自転車フレーム側に点灯専用の発電機を設け、発電機から電力を直接発光ダイオードに供給して点滅させるようにすれば、発光ダイオードは発電機の発電周期で点滅するので点滅させる為の制御回路は不要になってコスト低下を図ることができる。しかし、特許文献２で提案されているように、２個のコイル間をマグネットが通過するだけの物はマグネットとコイル間の磁界が閉磁路を構成しないか、又は閉磁路を構成しにくい構造で、マグネットとコイル間の距離、隙間を自転車の振動や車輪の回転ブレを考慮する為、数ミリあける必要があり発電効率が悪い。又、衣服やペット等に電池式の発光装置を取り付ける照明装置もあるが、電池の消耗等により交換しなければならず、コスト高となる。
【００１０】
したがって、本発明の目的はコイルとマグネットを分離することなく、コイル内部でマグネットが移動するように形成し、マグネットとコイルの隙間を狭くし、マグネットの移動開始位置や移動時の軌道を常に同じ状態にし、風力や水力等の自然エネルギーにより、負荷をかけないで発電し、点灯回数を多く出来るようにし、又、人の衣服や靴、ペットの首輪やリード等に取り付け、それより得られる振動や圧力、磁力や人的振動を利用して自己発電できるようにし、それを取り付けた物体の存在を外部に知らせるようにしたものである。
【課題を解決するための手段】
【００１１】
本発明の自己発電物体位置表示器は、発電マグネット組立体とクリップ等を備えており、又、水面付近でそれを利用する為のフロート組立体等を備えている。
【００１２】
発電マグネット組立体は、パイプ内に挿入した発電マグネット又は発電マグネットと吸引マグネット又は発電マグネットと吸引マグネットと伸縮性のバネ等の組み合わせ、およびパイプの外側にコイルを取り付け、パイプの両端を蓋や伸縮性の物質で被い、又これと制御箱と発光ダイオードとコネクターを閉じ込めたケースにより形成され、ケースには物体に取り付ける為のクリップ等が備えてある。更に外部エネルギーの波力、水力等を利用する場合には水面付近より得るエネルギーを利用する為のフロート組立体等を備えている。
【００１３】
コイルの発生電力は電線を通し制御箱へ流れ、発電時の周期のまま発光ダイオードに供給される。
【発明の効果】
【００１４】
本発明の自己発電物体位置表示器は、パイプ内部に発電マグネットを取り付け、パイプの端に伸縮ゴム、又は、スポンジ、バネ等やマグネット等の磁性体物質を利用して振動や圧力より得るエネルギーを持続、増幅させ、発電マグネットの往復移動により発電効率を高め、同一ケースに発光ダイオードと制御箱を内蔵し、クリップ等を取り付けている。これを水面付近の波力や水力を得られる場所、ペットの散歩等に使用するリード、又はペットの首輪や人の衣服や靴、ランドセル等伸縮や振動を得られる部分に取り付けると、水力から得られる振動や波力等により発光ダイオードを点灯でき、また、人やペット等より得られる振動やリード等の伸縮を利用して伸縮性のバネ等の張力により発電するので、夜間の散歩等に利用でき、又発光ダイオードを点灯させる為の電池は不要である。コイルの発電波形がパルスなので発光ダイオードの点灯を点滅させる為の制御回路は必要なく、コストを低く抑えることが出来る。又、発電マグネットとコイルが接近しており、瞬時にコイル間を通過するので、発電効率を高めた発電をすることが出来るようになる。
【００１５】
請求項２記載の自己発電物体位置表示器は、外部振動等により発電マグネット組立体内部にある発電マグネットがパイプ内部を下に移動し、更に発電マグネットと吸引マグネットが近づくと、吸引マグネットの磁力と発電マグネットの磁力が互いに反発しあう極性にしてある為、パイプ内部の発電マグネットが反発して遠ざかり蓋の上部へ移動する。これによりパイプの外側にあるコイルの両端を発電マグネットが瞬時に移動してコイルには電気が発生し、終端の発光ダイオードを点灯する。更に次の振動で、遠ざかっていた発電マグネットが下方へ移動しコイルの下端へ移動する。これにより、コイルの両端を発電マグネットが瞬時に移動し、再度コイルに電気が発生し終端の発光ダイオードを点灯し、１回の振動を持続、増幅させることにより数回上下動する。
【００１６】
この動作は、発電マグネット組立体下部の蓋側に吸引マグネットを取り付け、クッションを有する発電マグネットをパイプ内に挿入し、向かい合う吸引マグネットとの極性を同極にし、振動等の外部エネルギーにより、発電マグネットを下方の吸引マグネットへ近づけることによりコイル内部を発電マグネットが下方へ移動する。次に吸引マグネットとの反発により、上方の蓋付近へ非接触で発電マグネットを移動させ再度コイル内部を通過させ、発電し終端の発光ダイオードを点灯させる。その後の振動を持続、増幅させ又、更にバネ等を利用し上下動を繰り返し、発光ダイオードを繰り返し点灯することができる。
【００１７】
請求項３記載の発明の自己発電物体位置表示器は、コイルの両端を発電マグネットが圧縮バネの反発や引っ張りバネの引き戻し等によりパイプ内部を瞬時に移動し、遅いスピードの伸縮でも、確実にコイルの内部を移動し、発光ダイオードを点灯させることができる。
【００１８】
請求項４記載の発明の自己発電物体位置表示器は、パイプとコイルとパイプ内を移動する発電マグネット間の間隔を狭くし、発電マグネットがコイルの上下端を瞬時に通過し、１往復で複数回の発電をし、それをブリッジダイオードで整流することにより、高い発電量で発光ダイオードを点灯することができる。
【図面の簡単な説明】
【００１９】
【図１】（Ａ）は発電マグネット組立体の外側にサドルを取り付けた斜視図であり、（Ｂ）はＡ−Ａ方向より切断した断面図であり、（Ｃ）は発電マグネット組立体にクリップを横に取り付けた斜視図であり、（Ｄ）はケーブルクリップを利用した斜視図である。
【図２】本発明の実施形態における自己発電物体位置表示器の他の実施形態を示したもので、（Ａ）は図１（Ｂ）の断面図において、吸引マグネットの代わりに圧縮バネを利用した断面図であり、（Ｂ）は引っ張りバネを利用した断面図であり、（Ｃ）は引っ張りバネを追加した断面図である。
【図３】本発明の実施形態における自己発電物体位置表示器の他の実施形態を示したもので、（Ａ）は図１（Ｃ）の発電マグネット組立体上部に引っ張りバネとクリップを接続しリードに取り付けた斜視図であり、（Ｂ）は発電マグネット組立体と引っ張りバネ部分の斜視図であり、（Ｃ）はＡ−Ａ方向より切断した断面図である。
【図４】本発明の実施形態における自己発電物体位置表示器の他の実施形態を示したもので、（Ａ）は図３（Ｃ）の断面図において、吸引マグネットを上部に移動し、引っ張りバネを追加した断面図であり、（Ｂ）は吸引マグネットの代わりに圧縮バネを利用した断面図であり、（Ｃ）は圧縮バネを追加した断面図であり、（Ｄ）は発電マグネットとコイル等を追加した断面図である。
【図５】本発明の実施形態における自己発電物体位置表示器の他の実施形態を示したもので、（Ａ）は発電マグネット組立体下部にフロート盤を取り付け、それを船の側面に取り付けた斜視図であり、（Ｂ）はＡ−Ａ方向より切断した発電マグネット組立体とフロート部分の断面図である。
【図６】コイルと制御箱内の配線及び発光ダイオードとコネクターソケットを示した回路図である。
【図７】本発明の実施形態における自己発電物体位置表示器の他の実施形態を示したもので、（Ａ）は発電マグネット組立体に傘を取り付けた斜視図であり、（Ｂ）はクリップの代わりに吸盤を使用し、発電マグネット組立体にボールを取り付けた斜視図である。
【発明を実施するための形態】
【００２０】
請求項１〜４記載の本発明に係る自己発電物体位置表示器の好適な実施形態を、以下図面に従って説明する。
【実施例１】
【００２１】
図１（Ａ）は発電マグネット組立体に１０にサドル９を取り付けた斜視図であり、（Ｂ）はＡ−Ａ方向より切断した断面図であり、（Ｃ）はサドル９の代わりにクリップ２０を取り付けた斜視図であり、（Ｄ）はサドル９の代わりにケーブルクリップ２１を取り付けた斜視図である。
請求項１の自己発電物体位置表示器は、図１（Ｂ）に示すように、発電マグネット１５とクッション３及び吸引マグネット８をパイプ１６内に入れパイプ１６の両端を発電マグネット１５が飛び出さないように、上蓋１、下蓋１８等で被い、パイプ１６の外側にコイル１４を取り付け、このコイル１４より出る線に制御箱１３を取り付け、更に制御箱１３より出る電線の先に発光ダイオード１１とコネクターソケット６を並列に取り付けてある。これらを１つのケース４へ挿入し、発電マグネット組立体１０を構成し、このケース４にサドル等を取り付けて形成されている。発電マグネット１５はパイプ１６内を上下にスムーズに移動できるようにし、クッション３を取り付け、又パイプ１６の両端をネジ加工して上蓋１と下蓋１８で被い、発電マグネット１５が外部へ飛び出さないようにし、又、発電マグネット１５の衝撃を吸収して衝撃音を小さくするようにクッション２を上下蓋に取り付けている。これにより、発電マグネット１５の交換やパイプ内部の異物の除去等を行なうことができる。コイル１４はボビンにエナメル線等を巻き製作され、接着剤５やネジ等により他の部品とケース４へ取り付けられている。これらのものは、できる限り発電マグネット１５に影響を与えないプラスチック等の非磁性体物質の物を用いる。又このケース４の外側にネジ７によりサドル９が取り付けられ、サドル９の大きさや、形、取り付け位置や角度は取り付け物体に合わせ変化させればよく、衣服のポケット等に入れる場合は使用しなくても良い。サドル９を人の衣服や靴、ランドセル、傘、犬の首輪やリード、自転車等に取り付けると、人の振動やペットの振動、物体の振動等によりパイプ１６内の発電マグネット１５は、図１（Ｂ）の場合、通常吸引マグネット８との極性が同極なので反発しあい、上蓋１付近にあるが、外部より衝撃や圧力、振動等が加わると吸引マグネット８付近へ下降する。これにより、コイル１４の上端から中心へ移動しコイル１４に電気を発生させ、次に中心より下端へと移動しコイル１４に逆向きの電気を再度発生させ、終端の発光ダイオード１１を２回点灯させる。発電マグネット１５が吸引マグネット８付近へ移動し停止すると、吸引マグネット８との反発により今度は発電マグネット１５がコイル１４の下端から中心へ移動しコイル１４に電気を発生させ、次に中心より上端へと移動しコイル１４に逆向きの電気を再度２回発生させる。これによりコイル間を１往復で４回の電気を発生させ、終端の発光ダイオード１１を４回点灯させることができる。発電マグネット１５と吸引マグネット８及びコイル１４の最良の位置関係は両マグネットの磁力と外部振動等により変化する為、上蓋１、下蓋１８のネジを調整し最良の位置で止め外側をテープや接着剤等で固定しても良い。図１（Ｂ）の場合、発電マグネット１５の通常の位置はコイル１４の上であるが、コイル１４の位置を移動し、或は下蓋１８を下げコイル１４の下の位置へ移動して使用しても良い。又、吸引マグネット８、或は発電マグネット１５のどちらかの極性を逆にし、両者が吸引しあうようにし、間にクッション等を入れて吸引力を利用しても良い。尚、この場合吸引マグネット８を下蓋１８と固定する必要がある。コイル１４から発生する電力は図６に示す回路のように接続され、制御箱１３内に存在するブリッジダイオード４１へ流れて整流され、常に同じ方向の電流を抵抗４３へ流すようにし、その後抵抗４３を経て発光ダイオー１１へ出力される。パイプ１６内の発電マグネット１５は、発電マグネット組立体１０の取り付けられた場所や、取り付け方により、上下、左右、前後に移動し、最終段の発光ダイオード１１を点灯させる。これによりこれを取り付けた物体の存在を外部に知らせることができる。図１（Ｂ）では、パイプ１６の内部に挿入する発電マグネットの形状は円筒形であるが、球状にして小さな振動等で移動させても良く、パイプ１６の形状を多角にし、挿入する発電マグネットを多角柱にしてもよい。又、図１（Ｂ）で、発電マグネット１５の上下部にあるクッション２に穴を開け、更にその上下にある上蓋１、下蓋１８にも穴を開け、空気が通り抜けるようにし、吸引マグネット８を取りはずすと、空気の流れで起きる風力により発電マグネットを移動させ発電を行なうこともできる。コイル１４に発生する電力は、主に発電マグネット１５の磁力の強さと、コイル内を通過するスピード、及びコイルの巻き線数等によるが、発電マグネット１５の磁力の強さと、コイル１４の巻き線数は人の歩く振動やペットの歩く振動等で発光ダイオード１１を点灯させることができる値を決めればよい為、発光ダイオード１１の数を複数にしても良く、図１（Ｂ）のように発光ダイオード１１と並列にコネクターソケット６を設け他の発光ダイオード１１を取り付けられるようにしてある。発光ダイオード１１の保護の為、コンデンサー４２に並列にツェナーダイオードを接続し、過大な電圧より発光ダイオード１１を保護してもよい（図示せず）。図１（Ｃ）はサドル９の代わりにクリップ２０を取り付けた場合で、クリップ２０の大きさや、形、取り付け位置や角度は取り付け物体に合わせ変化させればよい。図１（Ｄ）はサドル９の代わりにケーブルクリップ２１をネジ７で取り付け、先端に穴２２をあけてある。このケーブルクリップ２１は自在に変形でき、クリップ２０同様大きさや、形、取り付け位置や角度は取り付け物体に合わせ変化させればよく、長さもいろいろ変化でき、取り付け場所に巻きつけたり先端の穴２２を利用し、取り付け物体にネジ等で固定しても良い。又、ケーブルクリップ２１の代わりにキーホルダー等のチェーンをネジで固定し、物体に取り付けても良い。クッション３と発電マグネット１５の接続方法は接着剤等で接続し、或は収縮チューブ等の保護カバーで被い連結しても良く、又強い衝撃でも吸引マグネット８と接触しない場合は取り付けなくても良い。図１（Ｂ）では下蓋１８とクッション２と吸引マグネット８はそれぞれ自由に取り外せるが、上記のように接着剤で接続してもよく、クッション２を取り外しても良い。吸引マグネット８は１回の振動を持続、増幅させ、発電マグネット１５を何度も大きくパイプ内を移動させる目的として取り付けられており、吸引マグネットの代わりに上下蓋内にエアークッションやスポンジ、伸縮ゴム、板バネ等を入れ同様に移動を増幅させても良く、或は蓋を取り外し、パイプの両端、或は片端にエアークッションやスポンジ、伸縮ゴム、板バネ等を取り付けて同様に移動を増幅させても良い。図５（Ａ）に示すようにコネクターソケット６にコネクタープラグ４０を取り付け、電線１２を長くして先端の発光ダイオード１１を表示したい物体の任意の位置へ伸ばして取り付けても良い。これにより、サドル９を人の衣服や靴、ランドセル、傘、犬の首輪やリード、自転車等に取り付けると、人の振動やペットの振動、物体の振動等により非接触で発電マグネットを移動させ発光ダイオードを点灯することができ、又、図１（Ｃ）、（Ｄ）のようにサドル９の形状や取り付け位置、取り付け方向を変化させ、障害物の一部や、ガードレール、建築物の角等振動や風力を得られる場所に取り付けると、その物体の存在位置を外部に知らせることができる。
【実施例２】
【００２２】
次に、吸引マグネット８の反発力を利用して、発電マグネット１５の移動の持続と増幅をさせる代わりに、圧縮バネ１７や引っ張りバネ２４を利用し又は追加して、発電マグネット１５の移動の持続と増幅をさせ発光ダイオード１１を点灯するようにした他の実施例について説明する。
図２（Ａ）は図１（Ｂ）の吸引マグネット８の代わりに圧縮バネ１７を利用し、Ａ−Ａ面よりの切断断面図であり、同様に図２（Ｂ）は上蓋１に引っ張りバネ２４を取り付けた断面図であり、（Ｃ）は引っ張りバネ２４を追加した断面図である。
図２（Ａ）は図１（Ｂ）の吸引マグネット８の代わりに圧縮バネ１７を下蓋１８にネジ２３等で取り付け、発電マグネット１５に接しているクッション３の代わりに接続部材１９を取り付けている。接続部材１９と発電マグネット１５の接続方法は互いにネジ加工、或は接着剤等で接続し、或は収縮チューブ等の保護カバーで被い連結しても良く、更にこれらと圧縮バネ１７をネジ等で接続し、圧縮バネ１７の片側を下蓋１８にネジ２３により取り付ける。又接続部材１９の材質は発電マグネット１５に影響を与えないプラスチック等の非磁性体物質の物を用いる。図２（Ａ）では圧縮バネ１７と接続部材１９と発電マグネット１５を連結しているが、発電マグネット１５を圧縮バネ１７と連結できるように加工し、接続部材１９を取り除いて直接接続しても良く、或は接続部材１９を取り除き、発電マグネット１５と圧縮バネ１７との連結を無くして使用しても良い。その他の部品の位置、材質等は上記実施例１と殆ど同様であるので説明を省略する。動作も殆ど同様で簡単に説明すると、人の振動やペットの振動、物体の振動等によりパイプ１６内の発電マグネット１５は、図２（Ａ）の場合、通常コイル１４の上部付近にあるが、外部より衝撃や圧力、振動等が加わると圧縮バネ１７を下方へ押して下降する。これにより、コイル１４の上端から中心へ移動しコイル１４に電気を発生させ、次に中心より下端へと移動しコイル１４に逆向きの電気を再度発生させ、終端の発光ダイオード１１を２回点灯させる。発電マグネット１５が下降限まで移動し停止すると、圧縮バネ１７の反発により今度は発電マグネット１５がコイル１４の下端から中心へ移動しコイル１４に電気を発生させ、次に中心より上端へと移動しコイル１４に逆向きの電気を再度２回発生させる。これによりコイル間を１往復で４回の電気を発生させ、終端の発光ダイオード１１を点灯させることができる。振動の大きさや、圧縮バネの伸縮力等によりその後、数回振動を続け終端の発光ダイオード１１を点灯させる。図２（Ａ）では、発電マグネット１５のスタート位置がコイル１４の上方であるが、コイル１４の位置を移動し、或は下蓋１８の位置や圧縮バネの長さ等を変えてコイルの中間や下方からスタートさせても良い。又、圧縮バネ１７の代わりに伸縮性のゴムや、スポンジ、エアークッション、板バネ等を利用してもよい。その他の動作や詳細は実施例１と同様なので省略し、これを取り付けた物体の存在位置を外部に知らせることができる。
【実施例３】
【００２３】
図２（Ｂ）は上蓋１に引っ張りバネ２４をネジ２３で取り付け、片側に接続部材２５と発電マグネット１５とクッション３を接続する。接続部材２５と発電マグネット１５の接続方法は互いにネジ加工、或は接着剤等で接続し、或は収縮チューブ等の保護カバーで被いクッション３とあわせて連結しても良く、発電マグネットを直接加工し引っ張りバネ２４に接続しても良い。又接続部材２５の材質は発電マグネット１５に影響を与えないプラスチック等の非磁性体物質の物を用いる。その他の部品の位置、材質等は上記実施例１と殆ど同様であるので説明を省略する。動作も殆ど同様で簡単に説明すると、人の振動やペットの振動、物体の振動等によりパイプ１６内の発電マグネット１５は、図２（Ｂ）の場合、通常コイル１４の上部付近にあるが、外部より衝撃や圧力、振動等が加わると引っ張りバネ２４を下方へ引っ張り下降する。これにより、コイル１４の上端から中心へ移動しコイル１４に電気を発生させ、次に中心より下端へと移動しコイル１４に逆向きの電気を再度発生させ、終端の発光ダイオード１１を２回点灯させる。発電マグネット１５が下降限まで移動し停止すると、引っ張りバネ２４の収縮により今度は発電マグネット１５がコイル１４の下端から中心へ移動しコイル１４に電気を発生させ、次に中心より上端へと移動しコイル１４に逆向きの電気を再度２回発生させる。これによりコイル間を１往復で４回の電気を発生させ、終端の発光ダイオード１１を点灯させることができる。又、図２（Ｂ）では引っ張りバネ２４を利用し、発電マグネット１５を移動させているが、これの代わりに伸縮性のゴム等を使用し動作させても良い。その他の動作や詳細は上記図２（Ａ）の動作と同様なので省略し、これを取り付けた物体の存在位置を外部に知らせることができる。
【実施例４】
【００２４】
図２（Ｃ）は上蓋１に引っ張りバネ２４をネジ２３で取り付け、片側に接続部材２５と発電マグネット１５とクッション３を接続する。接続部材２５と発電マグネット１５の接続方法は互いにネジ加工、或は接着剤等で接続し、或は収縮チューブ等の保護カバーで被いクッション３とあわせて連結しても良く、発電マグネットを直接加工し引っ張りバネ２４に接続しても良い。又接続部材２５の材質は発電マグネット１５に影響を与えないプラスチック等の非磁性体物質の物を用いる。下蓋１８にネジや接着剤等で吸引マグネット８を取り付け、図１（Ｂ）の時と極性を逆にしている。その他の部品の位置、材質等は上記実施例１と殆ど同様であるので説明を省略する。動作も殆ど同様で簡単に説明すると、人の振動やペットの振動、物体の振動等によりパイプ１６内の発電マグネット１５は、図２（Ｃ）の場合、通常コイル１４の上部付近にあるが、外部より衝撃や圧力、振動等が加わると引っ張りバネ２４を下方へ引っ張り、下蓋１８に取り付けられた吸引マグネット８の吸引力により加速して下方へ移動する。これにより、コイル１４の上端から中心へ移動しコイル１４に電気を発生させ、次に中心より下端へと移動しコイル１４に逆向きの電気を再度発生させ、終端の発光ダイオード１１を２回点灯させる。その後下降限に達して停止した後、引っ張りバネ２４の引き戻しにより、コイル１４の下端から中心へ瞬時に移動しコイル１４に電気を発生させ、更に中心より上端へと移動しコイル１４に逆向きの電気を再度発生させ、終端の発光ダイオード１１を２回点灯させる。その他の動作や詳細は上記図２（Ｂ）と同様なので省略する。吸引マグネット８の磁界の強さと引っ張りバネ２４の吸引力は上下蓋の位置を移動して変え、これらの大きさや長さを変えて上下の移動がスムーズに数回行なえるようにする。又、コイルの取り付け位置や、発電マグネットの定位置、吸引マグネットの極性を発電マグネットと同極にし、反発力を応用しても良い。クッション３は発電マグネット１５が下降し吸引マグネット８と接触し、衝突音や往復運動を妨げるのを防ぐ為に取り付けられており、このクッション３を利用する代わりにパイプ１６内に突起物を取り付け、発電マグネット１５の下降限を作り制御しても良い。これにより、発電マグネット組立体１０を取り付けた物体の存在位置を外部に知らせることができる。
【実施例５】
【００２５】
次に、外部エネルギーの張力や磁力を利用する方法で、発電マグネット１５を引っ張りバネやワイヤー等の張力、吸引マグネット等の磁力を利用して移動させ、発光ダイオードを点灯させて、外部にその物体の存在位置を知らせるようにした他の実施例について説明する。
図３（Ａ）は発電マグネット組立体１０の上部蓋１よりワイヤー２８を通し、そのワイヤー２８の先に引っ張りバネ２７とクリップ２６を連結し、クリップ２６とクリップ２０をリード３０へ取り付けた斜視図であり、図３（Ｂ）は発電マグネット１０の上部をあらわした斜視図であり、（Ｃ）は図３（Ｂ）のＡ−Ａ方向より切断した発電マグネット組立体１０部分の断面図である。
図３（Ｃ）に示すように、図１（Ｂ）の吸引マグネット８の極性を逆にし、発電マグネット１５と吸引するような極性にし、発電マグネット１５の下部のクッション３の代わりにクッション２９を取り付け、上部には接続部材２５を取り付け、それよりワイヤー２８を伸ばし引っ張りバネ２７と連結する。接続部材２５と発電マグネット１５の接続方法は互いにネジ加工、或は接着剤等で接続し、或は収縮チューブ等の保護カバーで被いクッション２９とあわせて連結しても良い。クッション２９は発電マグネット１５が下降し吸引マグネット８と接触し、衝突音や往復運動を妨げるのを防ぐ為に取り付けられており、このクッション２９を利用する代わりにパイプ１６内に突起物を取り付け、発電マグネット１５の下降限を作り制御しても良い。又接続部材２５の材質は発電マグネット１５に影響を与えないプラスチック等の非磁性体物質の物を用いる。引っ張りバネ２７の片側にクリップ２６を取り付け発電マグネット組立体１０のクリップ２０と一緒にリード３０へ取り付ける。クリップ２６の取り付けは、クリップ２０を取り付けた後、リード３０を直線上にした状態で取り付け、その後引っ張りバネ２７の収縮によりリード３０を引き寄せ曲線になるようにクリップ２６を引っ張り、発電マグネット１５が吸引マグネット８の吸引力から開放され、接続部材２５が上蓋１のクッション２の近くまで来るようにする。図３（Ｃ）に示すように、下蓋１８の内側に、吸引マグネット８をネジや接着剤等で取り付け、その極性を発電マグネット１５と異なる極性で向かい合わせ、吸引させるようにする。これにより通常クッション２９を挟んで発電マグネット１５は引き寄せられており、その先のワイヤー２８と引っ張りバネ２７とクリップ２６を引っ張るようになる。この様な状態で、リード３０の片側をペットの首輪等に取り付け、もう片方を人が持って散歩等に出かけた場合、ペットと人の距離が開いてリード３０が直線上に張られると、クリップ２６の先の引っ張りバネ２７が伸びてその先のワイヤー２８と発電マグネット組立体１０内の接続部材２５を引き寄せ、図３（Ｃ）の発電マグネット１５をクッション２に接続部材２５が近づくまで上方へ引き寄せようとする。その途中、吸引マグネット８の吸引力が開放されるように調整しておくと、瞬時に発電マグネット１５はコイル１４の下端から中心へ移動しコイル１４に電気を発生させ、次に中心より上端へと移動しコイル１４に逆向きの電気を再度発生させ、終端の発光ダイオード１１を点灯させる。接続部材２５がクッション２付近で移動が停止した状態で、ペットと人の距離が縮むと引っ張りバネ２７の収縮力によりクリップ２６を引き寄せ、その先のリード３０も引き寄せ、リード３０が緩んだ状態になる。一方、その反動が反対側のワイヤー２８と発電マグネット１５に伝わってワイヤー２８の引きも弱まり、また、発電マグネット１５も吸引マグネット８の吸引も加わって、瞬時に下降して今度は発電マグネット１５がコイル１４の上端から中心へ移動しコイル１４に電気を発生させ、更に中心より下端へと移動しコイル１４に逆向きの電気を再度発生させ、クッション２９を挟んで停止する。これによりコイル間を１往復で４回の電気を発生させ、終端の発光ダイオード１１を点灯させることができる。発電マグネット１５と吸引マグネット８及びコイル１４の位置関係は両マグネットの磁力と引っ張りバネの長さと引っ張り強度等により変化する為、上蓋１、下蓋１８のネジを調整し最良の位置で止め外側をテープ等で固定しても良く、コイル１４の位置やパイプ１６の長さ等を変えても良い。コイル１４から発生する電力は図６に示す回路のように接続され、制御箱１３内に存在するブリッジダイオード４１へ流れて整流され、常に同じ方向の電流を抵抗４３へ流すようにし、その後抵抗４３を経て発光ダイオー１１へ出力される。パイプ１６内の発電マグネット１５は、発電マグネット組立体１０の取り付け方やペットと人の位置関係により、上下、左右、前後に移動し、最終段の発光ダイオード１１を点灯させる。これによりペットと人の存在を外部に知らせることができる。図３（Ｃ）では、パイプ１６の内部に挿入する発電マグネットの形状は円筒形であるが、球状にしても良く、パイプ１６の形状を多角にし、挿入する発電マグネットを多角柱にしてもよい。又発電マグネット１５と吸引マグネット８の吸引力が強い場合引っ張りバネ２７を利用しなくても良い。コイル１４に発生する電力は、主に発電マグネット１５の磁力の強さと、コイル内を通過するスピード、及びコイルの巻き線数等によるが、発電マグネット１５の磁力の強さと、コイル１４の巻き線数は通常のリードの緩み等で発光ダイオード１１を点灯させることができる値を決めればよい為、発光ダイオード１１の数を複数にしても良く、図５（Ａ）のようにコネクターソケット６にコネクタープラグ４０を差し込み、電線１２を長くして、人の衣服に取り付けても良い。図３（Ａ）のクリップ２０の代わりに図１（Ｄ）のようなケーブルクリップ２１をネジ７で取り付け、実施例１と同様に大きさや、形、取り付け位置や角度をリードに合わせ変化させ、リード３０に巻きつけて固定しても良い。図３（Ｃ）では発電マグネット１５とクッション２９が一緒に取り付けられているが、このクッション２９を吸引マグネット８の方へ取り付けてもよく、又は両者より取りはずして自由な状態にして入れても良い。又、発電マグネット１５の磁力が強い場合、吸引マグネット８の代わりに磁性体物質を利用し、発電マグネット１５を引きつけても良い。パイプ１６はアルミやプラスチック等の非磁性体の物を利用し、又、接続部材２５やクッション２９等の材質も発電マグネット１５に影響を与えない非磁性体の物を利用する。本発明では発電マグネット１５が引っ張りバネ２７の伸縮力と吸引マグネット８の吸引力の開放により瞬時に、パイプ内を上下に正確に移動できる為、発電マグネット１５とコイル１４の移動開始位置、移動時の軌道が常に同じ状態になり、発電マグネット１５とコイル１４の間隔を狭くし、１回の往復で４回の発電をすることで発電効率を高めて、確実に安定した電力を発生することができる。これにより、両クリップをリード３０に取り付け、ペットの散歩等に利用すると、リード３０の伸縮やペットの振動等により発光ダイオードを点灯することがでる。又、図５（Ａ）のように、コネクタープラグ４０をコネクターソケット６に差込み電線１２を長くし、その先の発光ダイオード１１をクリップ等で人の衣服等に取り付けると、人やペットの存在位置を外部に知らせることができる。図３（Ａ）では、発電マグネット１５の移動に引っ張りバネ２７の伸縮性を利用していたが、この引っ張りバネ２７の代わりにゴム等の伸縮を利用しても良いし、又はおもりを取り付けて振動を利用しても良い。更に図７（Ａ）のように発電マグネット組立体１０のワイヤー２８の先に、落下傘のような傘５０を取り付け、風を利用して発電マグネット１５を移動させても良く、図７（Ｂ）のようにクリップの代わりに吸盤４８を使用し、発電マグネット組立体１０のワイヤー２８の先にボール４９を取り付け、吸盤４８を下水等の排水溝出口付近に取り付け、排水溝出口の排水にボール４９を当て、ボール４９と排水の振動を利用し、発電マグネット１５を引っ張って移動させ発光ダイオードを点灯させても良い。このように、本案では発電マグネット組立体１０をリード３０等に取り付けるだけではなく、クリップ２０やワイヤー２８の先を変えることにより、その応用範囲は広がり、外部エネルギーを利用し、いろいろな物の存在を外部に知らせることができる。
【実施例６】
【００２６】
次に、実施例５と同様に外部エネルギーの張力や磁力を利用する方法で、発電マグネット１５を引っ張りバネやワイヤー等の張力、吸引マグネット等の磁力を利用して移動させ、発光ダイオードを点灯させて、外部にその物体の存在位置を知らせるようにした他の実施例について説明する。
図４（Ａ）は図３（Ｃ）の引っ張りバネ２７を取り外し、ワイヤー２８と接続された接続部材２５に吸引マグネット８を接続し、その下にクッション４４を取り付け、下蓋１８に引っ張りバネ２４をネジ２３により取り付け、引っ張りバネ２４の片側を接続部材２５へ接続しその接続部材２５に発電マグネット１５を取り付け、Ａ−Ａ方向より切断した断面図であり、（Ｂ）は引っ張りバネ２７を取り外し、ワイヤー２８と接続された接続部材２５に発電マグネット１５を接続し、上蓋１と接続部材２５の間に圧縮バネ１７を挿入した場合のＡ−Ａ方向より切断した断面図であり、図４（Ｃ）は図４（Ｂ）の発電マグネット１５の下部にクッション２９を取り付け、下蓋１８に吸引マグネット８を取り付けた場合のＡ−Ａ方向より切断した断面図であり、（Ｄ）はコイル１４と発電マグネット１５等をそれぞれ２個にした場合のＡ−Ａ方向より切断した断面図である。
図４（Ａ）に示すように図３（Ｃ）の引っ張りバネ２７を取り外し、ワイヤー２８と接続された接続部材２５に吸引マグネット８を接続し、その下にクッション４４を取り付ける。接続部材２５と吸引マグネット８の接続方法は互いにネジ加工、或は接着剤等で接続し、或は収縮チューブ等の保護カバーで被いクッション４４とあわせて連結しても良く、更にこれらとワイヤー２８を接続する。クッション４４は吸引マグネット８が下降し発電マグネット１５と接触し、衝突音や往復運動を妨げるのを防ぐ為に取り付けられており、このクッション４４を利用する代わりにパイプ１６内に突起物を取り付け、吸引マグネット８の下降限を作り制御しても良い。又接続部材２５とクッション４４等の材質は発電マグネット１５に影響を与えないプラスチック等の非磁性体物質の物を用いる。下蓋１８に引っ張りバネ２４をネジ２３により取り付け、引っ張りバネ２４の片側を接続部材２５へ接続しその接続部材２５に吸引マグネット８と向かい合う極性を異極にした発電マグネット１５を取り付ける。引っ張りバネ２４の代わりに、伸縮性のゴム等を利用して取り付けても良い。接続部材２５と発電マグネット１５の接続方法は上記同様に連結しても良く、接続部材２５の材質は発電マグネット１５に影響を与えないプラスチック等の非磁性体物質の物を用いる。動作は図３（Ａ）と殆ど同様であり、リード３０を直線にしておき、クリップ２０で発電マグネット組立体１０を固定し、ワイヤー２８を接続部材２５がクッション２に近づくまで引っ張り、ワイヤー２８の先のクリップ２６もリード３０に固定する。図４（Ａ）の場合、発電マグネット１５は通常引っ張りバネ２４により下蓋１８付近にあるが、クリップ２６をリード３０に取り付けると、その吸引力により吸引マグネット８も引きつけられ、コイル１４の下方へ移動し、ワイヤー２８の先のリード３０も引き付けられ、リード３０は曲線となる。この様な状態で、リード３０の片側をペットの首輪等に取り付け、もう片方を人が持って散歩等に出かけた場合、ペットと人の距離が開いてリード３０が直線上に張られると、クリップ２６の先のワイヤー２８と発電マグネット組立体１０内の接続部材２５を引き寄せ、吸引マグネット８を上方へ移動させる。これに引き寄せられた発電マグネット１５も上方へ移動しコイル１４の下端から中心へ移動しコイル１４に電気を発生させ、次に中心より上端へと移動しコイル１４に逆向きの電気を再度発生させ、終端の発光ダイオード１１を点灯させる。吸引マグネット８の上方への移動が更に続いている途中、引っ張りバネ２４の引き戻しが行なわれるように調整しておくと、接続部材２５と発電マグネット１５を下方へ引き戻し、発電マグネット１５は瞬時に下降して今度は発電マグネット１５がコイル１４の上端から中心へ移動しコイル１４に電気を発生させ、更に中心より下端へと移動しコイル１４に逆向きの電気を再度発生させ、下蓋１８付近で停止する。これによりコイル間を１往復で４回の電気を発生させ、終端の発光ダイオード１１を点灯させることができる。接続部材２５がクッション２の付近にある状態で、ペットと人の距離が縮むと振動や発電マグネット１５の吸引力により吸引マグネットが下降し、発電マグネット１５に近づく。これによりクリップ２６を引き寄せ、その先のリード３０も引き寄せ、リード３０が緩んだ状態になる。その他の動作や詳細は上記実施例５と同様なので省略し、これを取り付けた物体の存在位置を外部に知らせることができる。
【実施例７】
【００２７】
図４（Ｂ）は図３（Ｃ）の引っ張りバネ２７を取り外し、ワイヤー２８と接続された接続部材２５に発電マグネット１５が取り付けられている。接続部材２５と発電マグネット１５の接続方法は互いにネジ加工、或は接着剤等で接続し、或は収縮チューブ等の保護カバーで被い連結しても良い。クッション２は発電マグネット１５が下降し、下蓋１８と接触し、衝突音や往復運動を妨げるのを防ぐ為に取り付けられており、このクッション２を利用する代わりにパイプ１６内に突起物を取り付け、発電マグネット１５の下降限を作り制御しても良い。又接続部材２５の材質は発電マグネット１５に影響を与えないプラスチック等の非磁性体物質の物を用いる。動作は上記図４（Ａ）と殆ど同様であり、リード３０を直線にしておき、クリップ２０で発電マグネット組立体１０を固定し、ワイヤー２８を圧縮バネ１７が縮むまで引っ張り、ワイヤー２８の先のクリップ２６もリード３０に固定する。図４（Ｂ）の場合、発電マグネット１５は通常圧縮バネ１７によりコイル１４の下端の下付近にあるが、リード３０へクリップ２６を取り付けると、圧縮バネ１７の反発力によりワイヤー２８も引きつけられ、発電マグネット１５はコイル１４の下方へ移動し、ワイヤー２８の先のリード３０も引き付けられ、リード３０は曲線となる。この様な状態で、リード３０の片側をペットの首輪等に取り付け、もう片方を人が持って散歩等に出かけた場合、ペットと人の距離が開いてリード３０が直線上に張られると、クリップ２６の先のワイヤー２８と発電マグネット組立体１０内の接続部材２５を引き寄せ、発電マグネット１５を上方へ移動させ、接続部材２５を圧縮バネ１７が限界に縮むまで上方へ引き寄せる。これにより、発電マグネット１５はコイル１４の下端から中心へ移動しコイル１４に電気を発生させ、次に中心より上端へと移動しコイル１４に逆向きの電気を再度発生させ、終端の発光ダイオード１１を点灯させる。圧縮バネ１７が縮み、接続部材２５の移動が停止した状態で、ペットと人の距離が縮むと圧縮バネ１７の反発力によりクリップ２６を引き寄せ、その先のリード３０も引き寄せ、リード３０が緩んだ状態になる。この時、発電マグネット１５は瞬時に下降して今度は発電マグネット１５がコイル１４の上端から中心へ移動しコイル１４に電気を発生させ、更に中心より下端へと移動しコイル１４に逆向きの電気を再度発生させ、圧縮バネ１７の開放位置で停止する。本案では発電マグネット組立体１０のクリップ２０をリード３０へ取り付けているが、これを取り外してその代わりに下蓋１８に別のワイヤーを取り付け、その反対側にクリップ２０を取り付け、リード３０に取り付けて圧縮バネ１７を伸縮させても良い。その他の動作や詳細は上記実施例５と同様なので省略し、これを取り付けた物体の存在位置を外部に知らせることができる。
【実施例８】
【００２８】
図４（Ｃ）の動作は、上記図４（Ｂ）の下蓋１８に吸引マグネット８を追加したもので、実施例５の引っ張りバネ２の代わりに内部に圧縮バネ１７を取り付けたもので、動作内容と詳細は殆ど実施例５同様であり、吸引マグネット８を追加することにより、リード３０を緩めたとき、発電マグネット１５と吸引マグネット８の吸引力により瞬時に下降し、発電マグネット１５のスピードを速めて確実に発光ダイオードを点灯させるようにし、更に発電能力を上げ、発光ダイオードの照度を高め、又は数量を増やすことができるようになる。実施例６から８は実施例５の引っ張りバネ２７の代わりに発電マグネット組立体１０内部に、引っ張りバネ２４や圧縮バネ１７や吸引マグネット８の組み合わせをパイプ１６内に挿入し、実施例として示しており、その他の組み合わせを行なって実施例５と同様の動作をさせても良い。その他の動作や詳細は上記実施例５と同様なので省略し、これを取り付けた物体の存在位置を外部に知らせることができる。
【実施例９】
【００２９】
図４（Ｄ）は図３（Ｃ）の発電マグネット組立体１０にコイル１４と発電マグネット１５、制御箱１３、発光ダイオード１１、コネクターソケット６等をそれぞれ追加し、パイプ１６の代わりに、長さを長くしたパイプ３６を取りつけ、ケース４を大きくして閉じ込めた物である。その動作内容と詳細は上記実施例５と殆ど同じであるが、ワイヤー２８の下に、接続部材２５、次に発電マグネット１５、接続部材３１、発電マグネット１５、クッション２９を連続して接続し、ワイヤー２８の上下１往復で、複数の発光ダイオード１１を点灯できるようにしたものである。接続部材２５と接続部材３１と発電マグネット１５の接続方法は互いにネジ加工、或は接着剤等で接続し、或は収縮チューブ等の保護カバーで被いクッション２９とあわせて連結しても良い。クッション２９は発電マグネット１５が下降し吸引マグネット８と接触し、衝突音や往復運動を妨げるのを防ぐ為に取り付けられており、このクッション２９を利用する代わりにパイプ３６内に突起物を取り付け、発電マグネット１５の下降限を作り制御しても良い。その他の動作や詳細は上記実施例５と同様なので省略し、これを取り付けた物体の存在位置を外部に知らせることができる。
【実施例１０】
【００３０】
次に、外部エネルギーとして水面の波や振動を利用し、発電マグネット組立体１０とフロート組立体４５で発電し、その取り付け物体の位置を外部に知らせる場合の実施例について説明する。
図５（Ａ）は図１（Ａ）の発電マグネット組立体１０のサドル９を取り外し、下方にフロート盤３５を接続し、船舶の側面に取り付けた斜視図であり、図５（Ｂ）はＡ−Ａ方向より切断した断面図である。
図５（Ａ）に示すように発電マグネット組立体１０の下部にフロート盤３５を取り付け、フロート盤３５の側面にクリップ２０をネジ等により取り付け、下部には止め金具４７を取り付ける。船側面３２に固定板３３を取り付け、その固定板３３に保持棒３４を取り付ける。図５（Ｂ）のようにクリップ２０を水面近くの保持棒３４に取り付け、フロート組立体４５が水面上の波で上下に移動できるようにする。発電マグネット組立体１０のパイプ１６の下方の下蓋１８を取り除き、フロート３７と発電マグネット１５とフロート３７とおもり３８を連結させ、フロート組立体４５を形成し、パイプ１６内に挿入する。このフロート組立体４５の側面に止め金具４７を取り付け、ワイヤー４６でフロート盤３５下の止め金具４７と接続し、Ｓ字フック等で簡単に取り外せるようにしておく。フロート３７と発電マグネット１５とおもり３８の接続方法は互いにネジ加工、或は接着剤等で接続し、或は収縮チューブ等の保護カバーで被い連結しても良い。又、フロート３７の材質は発電マグネット１５に影響を与えないプラスチック等の非磁性体物質の物を用いる。図５（Ｂ）の場合、通常発電マグネット１５はコイル１４の上部にあるが、波が立つとフロート組立体４５がコイル１４の上端から中心へ移動しコイル１４に電気を発生させ、次に中心より下端へと移動しコイル１４に逆向きの電気を再度発生させ、終端の発光ダイオード１１を点灯させる。波によりフロート組立体４５が最下限に行くと次は上昇し、発電マグネット１５がコイル１４の下端から中心へ移動しコイル１４に電気を発生させ、更に中心より上端へと移動しコイル１４に逆向きの電気を再度発生させる。これによりコイル間を１往復で４回の電気を発生させ、終端の発光ダイオード１１を点灯させることができる。図５（Ｂ）ではスタート時発電マグネット１５の位置はコイル１４の上であるが、フロート３７の大きさや、形状、おもり３８の重さ等により、コイル１４の下方に位置し、スタートしてもよい。この場合、おもり３８とフロート３７の重さは通常起こりうる波で、発電マグネット１５がコイル１４の両端を上下に移動できるよう選定する。図５（Ｂ）では、パイプ３６の内部に挿入する発電マグネットの形状は円筒形であるが、パイプ３６の形状を多角にし、挿入するフロート組立体４５を多角柱にしてもよい。又、図５（Ａ）ではクリップ２０をネジ等で取り付けているが、図１（Ｄ）のようにケーブルクリップ２１をネジ等で取り付けても良い。このケーブルクリップ２１は自在に変形でき、クリップ２０同様大きさや、形、取り付け位置や角度は取り付け物体に合わせ変化させればよく、長さもいろいろ変化でき、取り付け場所に巻きつけたり先端の穴２２を利用し、保持棒３４や他の場所にネジ等で固定しても良い。又、ケーブルクリップ２１の代わりにキーホルダー等のチェーンをネジで固定し、他の場所に取り付けても良い。更にフロート盤３５の下部の止め金具４７に他のワイヤーやチェーン等を取り付け、クリップ２０を外し、水面に浮かべると漂流ブイや浮きとして利用でき、ワイヤーの先を取り付けた物体の存在を外部に知らせることができる。これらにより波があると発電マグネット１５はコイル内を上下に移動し、船舶の側面を点滅し、コネクタープラグ４０よりの電線を長くすると、船舶の他の部分で点滅でき、外部に船舶の存在を知らせることができる。
【符号の説明】
【００３１】
１    上蓋
２    クッション
３    クッション
４    ケース
５    接着剤
６    コネクターソケット
７    ネジ
８    吸引マグネット
９    サドル
１０    発電マグネット組立体
１１    発光ダイオード（ＬＥＤ）
１２    電線
１３    制御箱
１４    コイル
１５    発電マグネット
１６    パイプ
１７    圧縮バネ
１８    下蓋
１９    接続部材
２０    クリップ
２１    ケーブルクリップ
２２    穴
２３    ネジ
２４    引っ張りバネ
２５    接続部材
２６    クリップ
２７    引っ張りバネ
２８    ワイヤー
２９    クッション
３０    リード
３１    接続部材
３２    船側面
３３    固定板
３４    保持棒
３５    フロート盤
３６    パイプ
３７    フロート
３８    おもり
３９    水
４０    コネクタープラグ
４１    ブリッジダイオード
４２    コンデンサー
４３    抵抗  
４４    クッション
４５    フロート組立体
４６    ワイヤー
４７    止め金具
４８    吸盤
４９    ボール
５０    傘
【図１】
2014110657.tif 000003
【図２】
2014110657.tif 000004
【図３】
2014110657.tif 000005
【図４】
2014110657.tif 000006
【図５】
2014110657.tif 000007
【図６】
2014110657.tif 000008
【図７】
2014110657.tif 000009